(57)【要約】      （修正有）【課題】適合文献を網羅的に収集するため広域的な特許文献検索を実施した結果、文献件数が非常に多くなり、多大な工数がかかってしまうスクリーニングを、効率化する方法を提供する。【解決手段】適合文献のスクリーニング対象とする特許文献集合Ｘを決定するステップＳ１と、該特許文献集合に含まれている適合文献件数をサンプリング法により推定し、該推定値を用いてスクリーニングで抽出した適合文献件数が目標値に達しているか否かを判定する判定基準値を設定するステップＳ２〜Ｓ３と、特許文献集合Ｘから適合文献の含有率が高いスクリーニング用文献集合を抽出、該文献集合の文献を個別スクリーニングして抽出した適合文献集合と既知の適合文献集合の論理和集合である全適合文献集合を作成、該全適合文献集合の文献件数が判定基準値を満足するまでスクリーニングのステップＳ４〜Ｓ８を繰り返す。【選択図】図２
2018060488.tif 000002
【特許請求の範囲】
【請求項１】
特許文献分析ソフトおよび表計算ソフトがインストールされているコンピュータで実行される特許文献集合のスクリーニング方法であって、
スクリーニング対象とする特許文献集合Ｘを決定するステップと
前記特許文献集合Ｘの文献件数と該特許文献集合Ｘから無作為抽出したサンプル文献集合に含まれている適合文献件数の前記無作為抽出した全サンプル文献件数に対する割合である適合文献含有率とサンプリング法により推定する適合文献件数の許容誤差と前記特許文献集合Ｘから抽出しようとする目標適合文献件数の前記特許文献集合Ｘに含まれている全適合文献件数に対する割合である目標捕捉率を使用して、収集した適合文献件数が目標に達しているか否かを判定する判定基準値を設定するステップと
前記特許文献集合Ｘから以下の方法で作成する適合文献集合ｉと本ステップまでに収集した適合文献集合の論理和集合である全適合文献集合ｉを作成、該全適合文献集合ｉの文献件数が判定基準値を満足するまでサフィックス、ｉの初期値を１、増分値を１として前記全適合文献集合ｉを作成することを設定するステップと
前記特許文献集合Ｘをスクリーニング済文献集合ｉとスクリーニング未文献集合ｉに分類するステップと
検索対象を前記スクリーニング未文献集合ｉ、検索項目は特定の特許文献項目、検索キーワードは前記特許文献集合Ｘから抽出して作成した文献集合の前記特定の特許文献項目と同一の特許文献項目のキーワード別適合文献件数と不適合文献件数の割合を評価尺度として限定した範囲のキーワードの中から抽出した誘導キーワードと部分一致しているキーワードの論理和、検索方式は完全一致で検索を実施して個別スクリーニング用文献集合ｉを作成、該個別スクリーニング用文献集合ｉの文献を個別スクリーニングして適合文献集合ｉと不適合文献集合ｉを作成するステップと
前記適合文献集合ｉと該適合文献集合ｉの作成以前に抽出した全適合文献からなる適合文献集合の論理和集合である全適合文献集合ｉを作成するステップと
前記全適合文献集合ｉの文献件数と前記判定基準値を比較、前記全適合文献集合ｉの文献件数が判定基準値と等しいか超の場合は前記全適合文献集合ｉが収集目的を満足する文献集合として適合文献検索を終了するステップと、
前記全適合文献集合ｉの文献件数が前記判定基準値以下の場合は、前記設定項目に記載のとおり、サフィックスｉの増分値を１として、前記全適合文献集合ｉを作成、該全適合文献集合ｉの文献件数が判定基準値と等しいか超になるまで前記全適合文献集合ｉの作成を繰り返すことを特徴とする特許文献のスクリーニング方法。
【請求項２】
特許文献分析ソフトおよび表計算ソフトがインストールされているコンピュータで実行される特許文献集合のスクリーニング方法であって、
スクリーニング対象とする特許文献集合Ｘを決定するステップと
前記特許文献集合Ｘの文献件数と該特許文献集合Ｘから無作為抽出したサンプル文献集合を適合文献集合と不適合文献集合に層別するステップと
前記特許文献集合Ｘから以下の方法で作成する適合文献集合ｉと本ステップまでに収集した適合文献集合の論理和集合である全適合文献集合ｉを作成、該全適合文献集合ｉの文献件数が官能評価で合格するまでサフィックス、ｉの初期値を１、増分値を１として前記全適合文献集合ｉを作成することを設定するステップと
前記特許文献集合Ｘをスクリーニング済文献集合ｉとスクリーニング未文献集合ｉに分類するステップと
検索対象を前記スクリーニング未文献集合ｉ、検索項目は特定の特許文献項目、検索キーワードは前記特許文献集合Ｘから抽出して作成した文献集合の前記特定の特許文献項目と同一の特許文献項目のキーワード別適合文献件数と不適合文献件数の割合を評価尺度として限定した範囲のキーワードの中から抽出した誘導キーワードと部分一致しているキーワードの論理和、検索方式は完全一致で検索を実施、個別スクリーニング用文献集合ｉを作成、該個別スクリーニング用文献集合ｉの文献を個別スクリーニングして適合文献集合ｉと不適合文献集合ｉを作成するステップと
前記適合文献集合ｉと該適合文献集合ｉの作成以前に抽出した全適合文献からなる適合文献集合の論理和集合である全適合文献集合ｉを作成するステップと
前記全適合文献集合ｉの文献件数を官能評価、前記全適合文献集合ｉの文献件数が合格の場合は前記全適合文献集合ｉが収集目的を満足する文献集合としてスクリーニング作業を終了するステップと、
前記全適合文献集合ｉの文献件数が官能評価で不合格の場合は、前記設定項目に記載のとおり、サフィックスｉの増分値を１として、前記全適合文献集合ｉを作成、該全適合文献集合ｉの文献件数が官能評価で合格するまで前記全適合文献集合ｉの作成を繰り返すことを特徴とする特許文献のスクリーニング方法。
【発明の詳細な説明】
【技術分野】
【０００１】この発明は特許マップ作成に使用する文献集合のような類似特許文献を網羅的に含む文献集合を作成するために実施した特許文献検索において、ヒットした文献件数が多くなり過ぎてスクリーニングに多大な工数がかかってしまう文献集合のスクリーニング方法に関する。
【背景技術】
【０００２】特定の検索目的に適合する特許文献（該特許文献を以下、適合特許文献または適合文献と記載する）を洩れなく収集しようとすると広域的な文献検索を実施することになり、その結果、ヒットした文献件数は非常に多くなりスクリーニングに多大な工数を必要とするようになるというのが実情である。【０００３】このような実情を踏まえ多数の特許文献で構成されている文献集合から適合文献を効率的に検索する方法が特開２００３−１５７２７０に開示されているが、該文献は検索対象文献集合に種文献を加えた追加文献集合をクラスタリング表示、該クラスタリング表示による選別を経た文献集合をスクリーニングすることでスクリーニングの容易化を狙っているが、本文献でのクラスタリングは特許分類によるクラスタリングだけなので、発明の名称や要約等のキーワードを使用しない特許分類だけのキーワードでは高い適合文献含有率の文献集合に絞り込むのは困難であり、実際に適合文献集合と不適合文献集合の特許分類の個数を比較してもこれらの集合間の差異を見つけることは困難である。
【特許文献】
【０００４】
【特許文献１】特開２００３−１５７２７０
【発明の概要】
【発明が解決しようとする課題】
【０００５】適合文献を網羅的に収集するため広域的な特許文献検索を実施した結果ヒットした文献集合の文献件数が非常に多くなりスクリーニングに多大な工数がかかってしまうので、該スクリーニング方法を効率化すると共に前記ヒットした文献集合に含まれている適合文献件数の推定値を算出、該適合文献件数の推定値を基準にした適合文献収集目標値を決定、あるいは官能的に適合文献収集目標を設定、該目標値まで適合文献を収集したらスクリーニングを終了して余計な工数を使用しない方法を提供することを課題とする。
【課題を解決するための手段】
【０００６】上述した課題を解決するために、本件発明は以下の特徴を有する課題解決のための手段を採用している。【０００７】請求項１に記載の発明は、特許文献分析ソフトおよび表計算ソフトがインストールされているコンピュータで実行される特許文献集合のスクリーニング方法であって、
スクリーニング対象とする特許文献集合Ｘを決定するステップと
前記特許文献集合Ｘの文献件数と該特許文献集合Ｘから無作為抽出したサンプル文献集合に含まれている適合文献件数の前記無作為抽出した全サンプル文献件数に対する割合である適合文献含有率とサンプリング法により推定する適合文献件数の許容誤差と前記特許文献集合Ｘから抽出しようとする目標適合文献件数の前記特許文献集合Ｘに含まれている全適合文献件数に対する割合である目標捕捉率を使用して、収集した適合文献件数が目標に達しているか否かを判定する判定基準値を設定するステップと
前記特許文献集合Ｘから以下の方法で作成する適合文献集合ｉと本ステップまでに収集した適合文献集合の論理和集合である全適合文献集合ｉを作成、該全適合文献集合ｉの文献件数が判定基準値を満足するまでサフィックス、ｉの初期値を１、増分値を１として前記全適合文献集合ｉを作成することを設定するステップと
前記特許文献集合Ｘをスクリーニング済文献集合ｉとスクリーニング未文献集合ｉに分類するステップと
検索対象を前記スクリーニング未文献集合ｉ、検索項目は特定の特許文献項目、検索キーワードは前記特許文献集合Ｘから抽出して作成した文献集合の前記特定の特許文献項目と同一の特許文献項目のキーワード別適合文献件数と不適合文献件数の割合を評価尺度として限定した範囲のキーワードの中から抽出した誘導キーワードと部分一致しているキーワードの論理和、検索方式は完全一致で検索を実施して個別スクリーニング用文献集合ｉを作成、該個別スクリーニング用文献集合ｉの文献を個別スクリーニングして適合文献集合ｉと不適合文献集合ｉを作成するステップと
前記適合文献集合ｉと該適合文献集合ｉの作成以前に抽出した全適合文献からなる適合文献集合の論理和集合である全適合文献集合ｉを作成するステップと
前記全適合文献集合ｉの文献件数と前記判定基準値を比較、前記全適合文献集合ｉの文献件数が判定基準値と等しいか超の場合は前記全適合文献集合ｉが収集目的を満足する文献集合として適合文献検索を終了するステップと、
前記全適合文献集合ｉの文献件数が前記判定基準値以下の場合は、前記設定項目に記載のとおり、サフィックスｉの増分値を１として、前記全適合文献集合ｉを作成、該全適合文献集合ｉの文献件数が判定基準値と等しいか超になるまで前記全適合文献集合ｉの作成を繰り返すことを特徴とする特許文献のスクリーニング方法。【０００８】請求項２に記載の発明は、特許文献分析ソフトおよび表計算ソフトがインストールされているコンピュータで実行される特許文献集合のスクリーニング方法であって、
スクリーニング対象とする特許文献集合Ｘを決定するステップと
前記特許文献集合Ｘの文献件数と該特許文献集合Ｘから無作為抽出したサンプル文献集合を適合文献集合と不適合文献集合に層別するステップと
前記特許文献集合Ｘから以下の方法で作成する適合文献集合ｉと本ステップまでに収集した適合文献集合の論理和集合である全適合文献集合ｉを作成、該全適合文献集合ｉの文献件数が官能評価で合格するまでサフィックス、ｉの初期値を１、増分値を１として前記全適合文献集合ｉを作成することを設定するステップと
前記特許文献集合Ｘをスクリーニング済文献集合ｉとスクリーニング未文献集合ｉに分類するステップと
検索対象を前記スクリーニング未文献集合ｉ、検索項目は特定の特許文献項目、検索キーワードは前記特許文献集合Ｘから抽出して作成した文献集合の前記特定の特許文献項目と同一の特許文献項目のキーワード別適合文献件数と不適合文献件数の割合を評価尺度として限定した範囲のキーワードの中から抽出した誘導キーワードと部分一致しているキーワードの論理和、検索方式は完全一致で検索を実施、個別スクリーニング用文献集合ｉを作成、該個別スクリーニング用文献集合ｉの文献を個別スクリーニングして適合文献集合ｉと不適合文献集合ｉを作成するステップと
前記適合文献集合ｉと該適合文献集合ｉの作成以前に抽出した全適合文献からなる適合文献集合の論理和集合である全適合文献集合ｉを作成するステップと
前記全適合文献集合ｉの文献件数を官能評価、前記全適合文献集合ｉの文献件数が合格の場合は前記全適合文献集合ｉが収集目的を満足する文献集合としてスクリーニング作業を終了するステップと、
前記全適合文献集合ｉの文献件数が官能評価で不合格の場合は、前記設定項目に記載のとおり、サフィックスｉの増分値を１として、前記全適合文献集合ｉを作成、該全適合文献集合ｉの文献件数が官能評価で合格するまで前記全適合文献集合ｉの作成を繰り返すことを特徴とする特許文献のスクリーニング方法。
【発明の効果】
【０００９】前記特許文献の分析方法により以下の効果を有する。【００１０】請求項１、２に記載の発明においては、スクリーニング作業の効率化及び必要以上のスクリーニングを不要にすることによりスクリーニングに要する工数低減をすることができる、見方を変えると、文献件数が多い文献集合のスクリーニングが容易にできるようになるのでより広域的な文献検索が可能になりその結果、適合文献のより網羅的収集が可能となる。
【図面の簡単な説明】
【００１１】
【図１】特許文献分析装置
【図２】特許文献の検索方法のフローチャート
【図３】サンプリング法で特定の特許文献集合に含まれている適合文献件数を推定する場合の推定値の許容誤差と必要なサンプル文献件数
【図４】特許文献集合Ｘから無作為抽出して作成したサンプル文献集合の発明の名称のキーワードから抽出した誘導キーワー
【図５】サンプル文献集合の発明の名称のキーワードから抽出した誘導キーワーを使用して誘導したスクリーニング未文献集合１の適合文献検索用キーワード
【図６】特許文献集合Ｘから無作為抽出して作成したサンプル文献集合の要約のキーワードから抽出した誘導キーワー
【図７】サンプル文献集合の要約のキーワードから抽出した誘導キーワーを使用して誘導したスクリーニング未文献集合２の適合文献検索用キーワード
【発明を実施するための形態】
【００１２】以下、図面を参照しつつ本発明の特許文献の検索方法の実施の形態について説明するが、この発明の実施の形態は、発明の最も好ましい形態を示すものであり、この発明はこれに限定されない。
【００１３】図１により、公開特許公報や特許公報等のように特許分類が付与されている特許文献が複数個集まってできる特許文献集合の分析に用いる特許文献分析ソフトと表計算ソフトがインストールされているコンピュータ２を備えた特許文献分析装置１の構成について説明する。
【００１４】この特許文献分析装置１は、制御装置３、演算装置４、記憶装置５及びＩ／Ｏ６がバスラインを介して接続されたコンピュータ２を有し、このコンピュータ２のＩ／Ｏ６の入力側には、キーボード７、マウス８、入力装置９、ＭＯドライブ等を含むＣＤ−ＲＯＭドライブ１０が接続されており、Ｉ／Ｏ６の出力側には、ＣＲＴ（液晶デイスプレイを含む）からなる表示装置１１、プリンタ１２等が接続されている。さらに通信回線１４を通してＳＲＰＡＲＴＮＥＲやＮＲＩサイバーパテントデスク等のＡＳＰの特許データベース１３に接続することもできる。特許データベース１３には書誌情報および明細書内容などの特許文献が保存されている。
【００１５】特許文献分析装置１の有する主要機能は以下の通りである。
入力装置９を操作して、コンピュータ２の記憶装置５に予めインストールされている前記特許文献分析ソフトを用いて分析対象特許文献集合のファイルを開くとフロントページが表示されるので、該ページからマップ、検索／リスト等のデータオブジェクトを選択して作業を進める。
【００１６】特許マップの作成は、データオブジェクトとしてマップを選択、マップの作成条件の設定画面を表示装置１１に描画、該設定画面で種々のマップ作成条件を設定することにより、種々の特許マップ、例えばランキング特許マップ（１列目を特許分類、キーワード、出願人等の各表示項目列、２列目を表示項目列のキーワードが付与されている文献件数列で１列目のキーワードの配列は２列目の文献件数を整列のキーとして降順に整列した数値テーブルをマップ化したもので、数値テーブルとマップの切り替は入力装置９により容易にできる）や、特定の文献集合に於けるグループ間のキーワード別文献件数比較マップ（特許分類、キーワード等の表示項目列と該表示項目に対応するグループ１の文献件数列とグループ２の文献件数列を有するマップ）等を作成することができる。
【００１７】また、前記種々のマップの数値テーブルを該数値テーブル画面とは別画面に表示されている前記表計算ソフトのシートにコピー＆ペイスト、該コピー＆ペイストした数値テーブルを、前記表計算ソフトを用いて行や列の追加、削除、各セルへの文字の記載、削除、セル間の数字の四則演算、特定の行又は列の文字をキーに特定の範囲のデータを昇順または降順に整列させる等の加工は自由自在にできるようになっている。
【００１８】記憶装置５に保存してある特許文献集合を検索対象とする各種特許分類や発明の名称や要約等の特許文献項目のキーワードによる検索、記憶装置５に保存してある特許文献集合のオブジェクトとして保存してある集合同士の論理和集合、論理差集合、論理積集合の作成は分析対象文献集合の特許情報の検索画面を表示装置１１の画面に描画、該画面上で入力装置９を用いて自由に検索、演算をすることが出来る。
【００１９】記憶装置５に保存してある特許文献集合を検索対象として検索キーワードを特定の特許文献項目の特定のキーワードにしたい場合は、特許情報画面を開き、該画面上で検索対象画面と特定の特許文献項目として発明の名称、要約等のいずれかの特許文献項目を指定後、キーワード一覧表示ボタンをクリックすると指定した条件のキーワードと該キーワードが使用されている文献件数の一覧表が表示されるので、この該キーワード一覧表から前記特定のキーワードを選択して検索を実行すればよい。
【００２０】前記特定のキーワードを特定のキーワードに絞込みしたい場合は、絞込みの基となるキーワードと絞込みのタイプ、部分一致か前方一致か後方一致の何れかを指定して実行キーを押すと指定条件に合致したキーワード一と該キーワードが使用されている文献件数を表示した一覧表が表示されるので、其の中から使用するキーワードを選択すればよい。
【００２１】分析に必要な特許文献集合の作成方法は、先ず、入力装置９を操作して、特許データベース１３にアクセスするか、又は、ＣＤ−ＲＯＭ等ドライブ１０にセットした公開特許公報ＣＤにアクセスして、特許分類やキーワード等で構成されている検索式を用いて、特許文献検索を行い、該ヒットした文献集合に名前を付して記憶装置５に保存、該記憶装置５に保存してある特許文献集合を、予め記憶装置５にインストールされているデータ形式変換プログラムを用いて、前記特許文献分析ソフトで処理できる形式に変換、該変換した特許文献集合を必要に応じてスクリーニングして分析用特許文献集合を作成、記憶装置５に保存する。
【００２２】本願での特許文献項目とは、発明の名称、要約、請求の範囲、明細書全文のいずれかのことを意味し、特許文献とは、ＩＰＣ，ＦＩ，Ｆタームのいずれかの特許分類が付与されている文献の事を意味する。
【００２３】以下に特定の分野の特許文献を網羅的に収集することを狙って作成した特許文献集合Ｘに含まれている適合文献を効率的に検索する方法を図１〜図７を用いて説明する。
【００２４】Ｓ１、適合文献のスクリーニング対象となる特許文献集合Ｘを決定する。
【００２５】特許文献集合Ｘとは従来一般的に行われている、マスターとなる特許文献から抽出した特許分類とキーワード、あるいは、特許情報プラットフォームで調査した特許分類と思いついたキーワードを用いて予備検索を実施、ヒットした文献集合に既知の適合文献が含まれているか、ヒットした文献集合はスクリーニング能力内に収まるか等をチェックして作成した特許文献集合の事を意味している。
【００２６】適合文献のスクリーニング対象とする特許文献集合Ｘを決定したら特許分析装置で分析できるように記憶装置５に保存する。
【００２７】Ｓ２、文献集合Ｘに含まれている適合文献件数をサンプリング法で推定する。
【００２８】前記特許文献集合Ｘ（該文献集合の文献件数を以下Ｎと記載する）に含まれている適合文献件数をサンプリング法で推定するため、該適合文献推定値の許容誤差（該許容誤差を以下βと記載する）と前記特許文献集合Ｘの文献件数、Ｎより統計学的に算出されるサンプル文献件数（例として図３参照）以上の文献を前記特許文献集合Ｘより無作為抽出、該抽出したサンプル文献集合をスクリーニングして抽出した適合文献件数の前記サンプル文献集合の全文献件数に対する割合（該割合を以下適合文献含有率、値をαと記載する）を求め、前記文献集合Ｘに含まれている適合文献件数の推定最少件数はＮとαと（１−β）の積、推定最大件数はＮとαと（１＋β）の積として算出する。
【００２９】Ｓ３、サンプリング法で推定した適合文献件数を使用して収集した適合文献集合の件数が目標に達しているか否かを判定する判定基準値を設定する。
【００３０】前記判定基準値をサンプリング法で算出する場合は前記特許文献集合Ｘの適合文献の推定最少件数と目標捕捉率の積に等しいか以上で、かつ、推定最大件数と目標捕捉率の積と等しいか以下の任意の件数に設定する。
【００３１】具体的には前記特許文献集合Ｘから抽出しようとする目標適合文献件数の前記特許文献集合Ｘに含まれている全適合文献件数に対する割合（該割合を以下目標捕捉率と記載する）をγとすると、判定基準値は、Ｎとαと（１−β）とγの積と等しいか、より大きい、かつ、Ｎとαと（１＋β）とγの積と等しいかより小さい任意の件数に設定する。
【００３２】前記判定基準値を官能で決定する場合は、収集した適合文献集合の用途、スクリーニング対象の文献集合の文献件数等を勘案して決定する。
【００３３】Ｓ４、前記特許文献集合Ｘから以下の方法で作成する適合文献集合ｉと該適合文献集合ｉを作成する以前に収集した全ての適合文献の集合との論理和集合である全適合文献集合ｉを作成、該全適合文献集合ｉの文献件数が判定基準値を満足するまでサフィックス、ｉの初期値を１、増分値を１として前記全適合文献集合ｉを作成することを設定する。
【００３４】Ｓ５、前記特許文献集合Ｘに属する文献をスクリーニング済になっている文献集合（以下、該集合をスクリン済文献集合ｉと記載）とスクリーニング済になっていない文献集合（以下、該集合をスクリン未文献集合ｉと記載）と記載）に分類する。
【００３５】サフィックス、ｉが１の場合は本ステップまでにスクリーニング済となっている文献集合は前記サンプル文献集合だけであるので、スクリン未文献集合１は前記特許文献集合Ｘとサンプル文献集合の論理差集合となる。
【００３６】サフィックス、ｉが２以上の場合は、スクリン未文献集合ｉはスクリン未文献集合（ｉ−１）とＳ６で定義しているスクリン用文献集合（ｉ−１）の論理差集合となる。
【００３７】前記スクリン未文献集合ｉの具体的作成方法は、入力装置９を操作して特許文献分析装置１の表示装置１１に前記特許文献分析ソフトの特許情報の検索画面を開き該画面中で、サフィックス、ｉが１の場合は前記特許文献集合Ｘと前記サンプル文献集合の論理差集合の作成を指定、ｉが２以上の場合の前記スクリン未許文献集合ｉの作成は、スクリン未文献集合（ｉ−１）とスクリン用文献集合（ｉ−１）の論理差集合を指定して演算を実行することにより得ることが出来る。
【００３８】Ｓ６、スクリン未文献集合ｉを検索対象、検索項目は特定の特許文献項目（特定の特許文献項目の例として、発明の名称、要約等、これらの項目の組合せ）、検索キーワードは前記特許文献集合Ｘから抽出した文献集合の前記特定の特許文献項目と同一の特許文献項目に使用されているキーワードの中から抽出した（注１）誘導キーワードと部分一致しているキーワード、検索方式は完全一致検索でヒットした文献集合（該文献集合をスクリン用文献集合ｉと記載する）の文献を個別スクリーニングして適合文献集合ｉと不適合文献集合ｉを作成する。
【００３９】前記スクリング未文献集合ｉからの適合文献の抽出方法は該スクリン未文献集合ｉの文献を順次個別にスクリーニングするのではなく、前記スクリン未文献集合ｉから本願に記載の方法で抽出した適合文献含有率が高い文献集合であるスクリン用文献集合ｉの文献を順次個別にスクリーニングするという方法をとっており、この方法によりスクリーニングに要する労力を大幅に削減することができる。
【００４０】（注１）誘導キーワードとはスクリーニング対象文献集合の全特許文献を個別にスクリーニングするのではなくて、スクリーニング対象文献集合から適合文献含有率の高い文献集合を抽出、該適合文献含有率が高い文献集合の文献を個別にスクリーニングするという方法で実施する場合、前記適合文献含有率が高い文献集合をヒットするキーワードを誘導するためのキーワードであり、該キーワードは前記特許文献集合Ｘに含まれていて適合、不適合判定済の文献が混在している文献集合の特定の特許文献項目の（注２）誘導キーワード抽出表（例として図４、図６参照）の（注３）キーワード別適合・不適合文献件数割合（例として図４、図６の▲４▼列参照）を評価尺度として限定した範囲の中から抽出する。
【００４１】前記誘導キーワードを使用して前記スクリン未文献集合１から適合文献含有率の高い文献集合であるスクリン用文献集合１を、前記スクリン済文献集合１の発明の名称から抽出した誘導キーワードを用いて抽出する具体的方法を記載すると、前記特許文献分析ソフトを用いて前記スクリン未文献集合１がオブジェクトとして保存されているファイルを開き、表示装置１１の画面に特許情報検索画面を描画、該画面上で入力装置９を用いて検索対象を前記スクリン未文献集合１、検索キーワードを発明の名称のキーワードと指定、入力装置９でキーワード表示キーをクリックすると、前記スクリン未文献集合１の発明の名称に使用されている全てのキーワードのキーワード別文献件数の一覧表が表示装置１１の画面に描画されるので、更に該画面にある絞込みキーワード欄に前記特許文献集合Ｘから抽出した文献集合（該文献集合に該当する文献集合は前記サンプル文献集合のみ）の発明の名称に使用されているキーワードの中から抽出した誘導キーワード（例として図４の▲５▼列）をインプット、絞込みのタイプ選択キー（前方一致、後方一致、部分一致の３タイプがある）は部分一致を選択、実行キーをクリックすると絞込み欄にインプットした誘導キーワードと部分一致している前記スクリン用文献集合１の発明の名称に使用されている全てのキーワードのキーワード別文献件数の一覧表が表示されるので、この表の中から検索キーワードとするキーワードを選択、該キーワードの論理和で完全一致検索を実行してヒットした文献集合が前記スクリン用文献集合１である。
【００４２】（注２）誘導キーワード抽出表（例として図４参照）とは、▲１▼キーワード列と▲２▼適合文献件数列と▲３▼不適合文献件数列と▲４▼適合・不適合文献件数割合列と▲５▼誘導キーワード列により構成されている表で▲１▼のキーワード列には特定の文献集合（例えば前記スクリン済文献集合１）の特定の特許文献項目（例えば発明の名称）に使用されているキーワードが記載され、▲２▼の適合文献件数列には▲１▼のキーワードが使用されている前記特定の文献集合に属する適合文献件数が記載され、▲３▼の不適合文献件数列には前記特定の文献集合に属する不適合文献件数が記載され、▲４▼の適合・不適合件数割合列には▲３▼の不適合文献件を▲２▼の適合文献件数で除した値が記載されている表であり、▲５▼の誘導キーワード列には▲４▼の適合・不適合件数割合を評価尺度として限定したキーワードの中から適合文献含有率が高い文献集合作成用に抽出したキーワードが記載されている表である。
【００４３】前記誘導キーワード抽出表の作成方法は、入力装置９を操作して特許文献分析装置１の表示装置１１にスクリーニング済の特定の文献集合（例えば前記スクリン済文献集合１）がデータオブジェクトとして保存されているファイルのキーワード別適合・不適合文献件数比較マップ作成画面を開き、入力装置９を操作して、マップの作成対象は前記スクリーニング済の文献集合、表示するデータは特定の特許文献項目（例えば発明の名称）のキーワードを選択、比較するデータは適合文献件数と不適合文献件数を指定、入力装置９を操作してマップ描画を実行、該マップをテーブル画面に切り替えると前記特定のスクリーニング済の特定の文献集合の特定の特許文献項目の前記キーワード別適合・不適合文献件数比較表の▲１▼列から▲３▼列のデータが記載された表が得られるので、▲２▼列と▲３▼列の値から算出した値を▲４▼列に記載、▲４▼列の値を評価基準として限定した▲１▼列のキーワードの中から適合文献をヒットするのに有効と判断したキーワードを選択して▲５▼列に記載して作成する。
【００４４】（注３）キーワード別適合・不適合文献件数割合とは特定の特許文献集合に含まれているキーワード毎に算出した該キーワードが使用されている不適合文献件数の適合文献件数に対する割合のことで、該割合が小さいキーワードほど多くの適合文献に使用されていることを意味しているので、該割合を評価尺度として誘導キーワードを抽出、該誘導キーワードと部分一致するキーワードで前記スクリン未文献集合ｉを検索対象として、検索方式は完全一致で検索すれば適合文献含有率が高い文献集合をヒットすることができるのである。
【００４５】Ｓ７、本ステップまでに適合と判定されているすべての文献の論理和集合である全適合文献集合ｉを作成する。
【００４６】ｉが１の場合は、全適合文献集合１は前記サンプル文献集合から抽出した適合文献と前記スクリーニング用文献集合１から抽出した適合文献集合１の論理和集合である。
【００４７】ｉが２の場合は、全適合文献集合（ｉ）は全適合文献集合（ｉ−１）と適合文献集合（ｉ）の論理和集合である。
【００４８】Ｓ８、前記全適合文献集合（ｉ）の文献件数と判定基準値とを比較する。
【００４９】前記全適合文献集合（ｉ）の文献件数が判定基準値と等しいか超えた場合は全適合文献集合（ｉ）が目的とする特許文献集合である。
【００５０】前記全適合文献集合（ｉ）の文献件数の評価は該文献集合の用途を勘案して官能評価で実施しても良い。
【００５１】前記全適合文献集合の文献件数が判定基準値より小さい場合、又は官能評価で不合格の場合は、Ｓ４にもどりサフィックスｉの増分値を１として、全適合文献集合（ｉ）を作成、該全適合文献集合（ｉ）の文献件数≧判定基準値になるまで全適合文献集合（ｉ）の作成を繰り返す。
【００５２】Ｓ９、前記全適合文献集合（ｉ）の文献件数≧判定基準値になった、又は官能評価で合格とした前記全適合文献集合（ｉ）が目的とする適合文献集合となる。
【００５３】以下、実施例として、独居老人や高齢者等弱者の安否確認、緊急時通報、浴室監視等の生活見守りに関する特許文献を網羅的に収集、該収集した８０５７件の文献集合に含まれている全適合文献の件数をサンプリング法で許容誤差１０％の精度で推定、該推定値の最小件数の７０％以上を捕捉することを目標とする特許文献検索方法について図１〜図７を用いて具体的に説明する。
【００５４】Ａ．スクリーニング対象とする特許文献集合Ｘを決定するステップである。
【００５５】特許文献集合Ｘとして別途収集してある、独居老人や高齢者等弱者の安否確認、緊急時通報、浴室監視等の生活見守りに関する特許文献を網羅的に収集、該収集した８０５７件の文献集合を選定した。
【００５６】Ｂ．前記特許文献集合Ｘに含まれている適合文献件数をサンプリング法で推定するステップである。
【００５７】前記特許文献集合Ｘの適合文献件数をサンプリング法で推定するため、該適合文献件数の推定値の許容誤差（本実施例では１０％に設定、以下、該値をβと記載する）とサンプルの母集合である前記特許文献集合Ｘの文献件数（８０５７件）により統計学的に必要となるサンプル文献集合の文献件数は図３を参照すると１００件でも可あるがステップＦで実施する前記サンプル文献集合からの誘導キーワードの抽出に関しては、前記サンプル文献集合の文献件数は多い方が種々の誘導キーワードを抽出できるので、本実施例では２００件のサンプル文献を無作為抽出した。
【００５８】前記サンプル文献集合をスクリーニングして３４件の適合文献が得られたので、前記サンプル文献集合に含まれている適合文献件数の前記サンプル文献集合の全文献件数に対する割合（該割合を以下、適合文献含有率、値をαと記載する）は０．１７であった。
【００５９】前記特許文献集合Ｘの文献件数が８０５７件、該特許文献集合の適合文献件数の推定値の許容誤差（β）を１０％、前記サンプル文献集合の適合文献含有率（α）を０．１７とすると、前記特許文献集合に含まれている推定文献件数の最小値は８０５７と（１−０．１）と０．１７の積、１２３３件、前記特許文献集合に含まれている推定文献件数の最大値は８０５７と（１＋０．１）と０．１７の積、１５０７件となる。
【００６０】Ｃ、サンプリング法で推定した適合文献件数を使用して収集した適合文献件数が目標に達しているか否かを判定する判定基準値を設定するステップである。
【００６１】本実施例における前記特許文献集合Ｘから抽出しようとする適合文献の目標件数の前記特許文献集合Ｘに含まれている全適合文献件数に対する割合（該割合を以下、目標捕捉率、値をγと記載する）を０．７とすると判定基準値は、１２３３と０．７の積、８６３件と等しいか、より大きく、１５０７件と０．７の積、１０５５件と等しいかより小さい任意の件数に設定することが出来るが、本実施例では８６３件とした。
【００６２】Ｄ１、以下Ｈ１迄、サフィックス、ｉの値を１として、適合文献集合１を作成、該文献集合の文献件数と判定基準値を比較する。
【００６３】Ｅ１、文献集合Ｘに属する文献をスクリーニング済になっている文献集合（以下、該集合をスクリン済文献集合（１）と記載）とスクリーニング済になっていない文献集合（以下、該集合をスクリン未文献集合（１）と記載）に分類するステップである。
【００６４】本ステップまでにスクリーニング済になっている文献集合は前記サンプル文献集合だけであるので、スクリン済文献集合１はサンプル文献集合と同一文献集合、スクリン未文献集合１は前記特許文献集合Ｘ（文献件数８０５７件）と前記スクリン済文献集合１（文献件数２００件）の論理差集合（文献件数７８５７件）となる。
【００６５】Ｆ１、スクリン未文献集合（１）を検索対象として検索項目は特定の特許文献項目Ａ、検索キーワードは文献集合Ｘから無作為抽出した文献集合の特定の特許文献項目Ａから抽出した誘導キーワードと部分一致しているキーワード、検索方式は完全一致検索でヒットした文献集合（該文献集合をスクリン用文献集合（ｉ）と記載する）をスクリーニングするステップである。
【００６６】ステップＥで求めたスクリン未文献集合（１）を検索対象、検索項目は発明の名称、検索キーワードは前記サンプル文献集合の発明の名称から抽出した誘導キーワード（図４参照）と部分一致しているキーワード（図５参照）、検索方式は完全一致検索でヒットしたスクリン用文献集合１（文献件数４８２件）の文献を個別スクリーニングして収集した適合文献件数は４２７件、従って前記スクリン用文献集合１の適合文献含有率は８８．６％であった。
【００６７】Ｇ１、本ステップまでに適合文献と判定されているすべての文献の論理和集合（以下、該集合を適合文献集合１と記載）を作成するステップである。
【００６９】本ステップまでに収集できた適合文献集合は前記サンプル文献の適合文献集合（文献件数３４件）と前記スクリン用文献集合１のスクリーニングから得られた４２７件の適合文献集合であるので適合文献集合１の文献件数は４６１件となる。
【００７０】Ｈ１、前記適合文献集合１の文献件数と判定基準値を比較するステップである。
【００７１】前記適合文献集合１の文献件数は４６１件、判定基準値は８６３件であるので前記適合文献集合１は不合格である。
「００７２」
Ｄ２、以下Ｈ２迄、サフィックス、ｉの値を２として、適合文献集合２を作成、該文献集合の文献件数と判定基準値を比較するステップである。
【００７３】Ｅ２、文献集合Ｘに属する文献をスクリーニング済になっている文献集合（以下、該集合をスクリン済文献集合２と記載）とスクリーニング済になっていない文献集合（以下、該集合をスクリン未文献集合２と記載）に分類するステップである。
【００７４】前記スクリン未文献集合２は前記スクリン未文献集合１（文献件数７８５７件）とスクリン用文献集合１（文献件数４８２件）の論理差集合（文献件数７３７５件）である。
【００７５】Ｆ２、スクリン未文献集合２を検索対象として検索項目は特定の特許文献項目Ａ、検索キーワードは文献集合Ｘから無作為抽出した文献集合の特定の特許文献項目Ａから抽出した誘導キーワードと部分一致しているキーワード、検索方式は完全一致検索でヒットした文献集合（該文献集合をスクリン用文献集合（２）と記載する）をスクリーニングするステップである。
【００７６】ステップＥ２で求めたスクリン未文献集合２を検索対象、検索項目は要約、検索キーワードは前記サンプル文献集合の要約から抽出した誘導キーワード（図６参照）と部分一致しているキーワード（図７参照）、検索方式は完全一致検索でヒットしたスクリン用文献集合２（文献件数７４４件）の文献を個別スクリーニングして収集した適合文献件数は４４４件、従って前記スクリン用文献集合２の適合文献含有率は５９．７％であった。
【００７７】Ｇ２、本ステップまでに適合文献と判定されているすべての文献の論理和集合（以下、該集合を適合文献集合２と記載）を作成するステップである。
【００７８】本ステップまでに収集した適合文献の集合である適合文献集合２は前記適合文献集合１（文献件数４６１件）と前記スクリン用文献集合２のスクリーニングから得られた４４４件の適合文献集合であるので、前記適合文献集合２の文献件数は９０５件となる。
【００７９】Ｈ２、前記適合文献集合２の文献件数と判定基準値を比較するステップである。
【００８０】前記適合文献集合２の文献件数は９０５件、判定基準値は８６３件であるので前記適合文献集合２は合格となる。
【００８１】Ｉ２、前記適合文献集合２が目的とする特許文献集合である。
【００８２】前記適合文献集合２の適合文献９０５件を収集するのに要した個別文献のスクリーニング文献件数は、サンプル文献件数の２００件とスクリン用文献集合１の４８２件とスクリン用文献集合２の７４４件の合計１４２６件であり、適合文献含有率が１７％である前記特許文献集合Ｘ（文献件数８０５７件）から９０５件の適合文献を抽出するのに必要なスクリーニング文献件数、５３２４件と比べると２７％の文献件数で目的の適合文献集合が得られることになっていることがわかる。
【産業上の利用可能性】
【００８３】文献件数が多い文献集合のスクリーニングが容易にできるようになるため広域的な文献検索が可能になり特許文献検索に習熟していない者が収集した不適合文献をより多く含む文献集合からでも適合文献の抽出が可能となるので検索エキスパートへの参入障壁が低くなる。
【図１】
2018060488.tif 000003
【図２】
2018060488.tif 000004
【図３】
2018060488.tif 000005
【図４】
2018060488.tif 000006
【図５】
2018060488.tif 000007
【図６】
2018060488.tif 000008
【図７】
2018060488.tif 000009